【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
インクリボンを搬送方向及び逆搬送方向に駆動する双方向駆動機構を有するプリンタであって、
プリンタ本体に設けられた該駆動機構が、
前記インクリボンが搬送方向に駆動されるとき、インクリボン巻取りスプールに前記インクリボンを巻きつけるため、インクリボン巻取りスプールを回転駆動するよう前記プリンタ本体に回転自在に取り付けられたインクリボン巻取りギアと、
前記インクリボンが逆搬送方向に駆動されるとき、インクリボン巻出しスプールに前記インクリボンを巻きつけるため、インクリボン巻出しスプールを回転駆動するよう前記プリンタ本体に回転自在に取り付けられ、前記インクリボン巻取りギアから間隔を空けて配置されるインクリボン巻出しギアと、
前記プリンタ本体に回転自在に取り付けられ、前記インクリボン巻出しギア及び前記インクリボン巻取りギアから間隔を空けて配置され、第１の回転方向及び第２の回転方向に選択的に回転駆動される駆動ギアと、
前記プリンタ本体に枢着され、第１の搬送位置と第２の搬送位置の間を枢動可能であり、枢動ギアおよび少なくとも１つの移動ギアを含む駆動ギアアセンブリであって、
前記枢動ギアが前記プリンタ本体に枢動ギアの軸を中心に回転自在に取り付けられ、前記駆動ギア及び前記少なくとも１つの移動ギアと噛合っており、前記枢動ギアは該枢動ギアの軸と同軸のスタブを含み、
前記第１の回転方向に前記駆動ギアが回転すると、前記少なくとも１つの移動ギアが前記インクリボン巻取りギアと噛合うため、前記駆動ギアアセンブリが前記枢動ギアの軸を中心に前記第１の搬送位置から第２の搬送位置へ枢動し、前記第２の回転方向に前記駆動ギアが回転すると、前記少なくとも１つの移動ギアが前記インクリボン巻取りギアから離れ、該少なくとも１つの移動ギアの少なくとも１つが前記インクリボン巻出しギアと噛合うため、前記駆動ギアアセンブリが前記枢動ギアの軸を中心に前記第２の搬送位置から第１の搬送位置へ枢動する駆動ギアアセンブリと、
前記スタブの外周と摩擦係合し、前記枢動ギアの回転により前記駆動ギアアセンブリを枢動させるバネと、を備えるプリンタ。
【請求項２】
前記プリンタ本体に回転自在に取り付けられる媒体駆動ギアを備え、前記逆搬送位置において前記少なくとも１つの移動ギアの少なくとも１つが前記媒体駆動ギアと噛合い、逆搬送方向にラベル媒体を駆動するため前記媒体駆動ギアを回転駆動する請求項１に記載のプリンタ。
【請求項３】
前記少なくとも１つの移動ギアが前記枢動ギアと噛合せ可能にギアプレートに回転自在に取り付けられ、前記枢動ギアの回転が前記ギアプレートを枢動して前記駆動ギアアセンブリを前記搬送位置と逆搬送位置間で枢動する請求項１記載のプリンタ。
【請求項４】
前記バネが前記ギアプレートに取り付けられる請求項３に記載のプリンタ。
【請求項５】
インクリボンを収容するカートリッジをはめ込むカートリッジ受け部が前記プリンタ本体に取り付けられ、前記インクリボン巻出しギア及び前記インクリボン巻取りギアが前記カートリッジ受け部に回転自在に取り付けられる請求項１に記載のプリンタ。
【請求項６】
前記駆動機構が、前記インクリボンを搬送方向及び逆搬送方向に駆動するため、前記枢動ギアと噛合う前記駆動ギアを回転駆動する単一の駆動モーターを備える請求項１に記載のプリンタ。
【請求項７】
搬送方向及び逆搬送方向に駆動する際、機構が前記インクリボンを張った状態に保持する請求項１に記載のプリンタ。
【請求項８】
前記インクリボン巻出しスプール及び前記インクリボン巻取りスプールがカートリッジに設けられ、前記機構が、前記インクリボン巻出しスプール及びインクリボン巻取りスプールの少なくとも一方に引張力を発生して前記インクリボンを張った状態に保つ前記カートリッジである請求項７に記載のプリンタ。
【請求項９】
前記駆動ギアがプラテンローラを回転駆動する請求項１に記載のプリンタ。
【請求項１０】
インクリボンを搬送方向及び逆搬送方向に駆動する双方向駆動機構を有するプリンタであって、
プリンタ本体に設けられた該駆動機構が、
前記プリンタ本体に取り付けられ複数の回転自在に取り付けられたギアを含む固定駆動ギアアセンブリと、
前記プリンタ本体に枢着され、ギアの軸を中心に回転する少なくとも１つの回転駆動されるギアを含み、搬送位置と逆搬送位置の間で前記ギアの軸を中心に枢動可能であり、前記少なくとも１つの回転駆動されるギアは前記ギアの軸と同軸のスタブを含み、該軸を中心に回転する枢軸駆動ギアアセンブリであって、
前記搬送位置において、前記インクリボンを搬送方向に駆動するため、前記少なくとも１つの回転駆動されるギアの少なくとも１つが、前記複数の回転自在に取り付けられたギアのうちの少なくとも１つと噛合い、前記逆搬送位置において、前記インクリボンを逆搬送方向に駆動するため、前記少なくとも１つの回転駆動されるギアの少なくも１つが、前記複数の回転自在に取り付けられたギアのうち別のギアと噛合い、
前記固定駆動ギアアセンブリに回転自在に取り付けられた前記複数のギアが、インクリボン巻取りスプールに前記インクリボンを巻きつけ該インクリボンを搬送方向へ送るため、インクリボン巻取りスプールを回転駆動するよう前記プリンタ本体に回転自在に取り付けられたインクリボン巻取りギアと、インクリボン巻出しスプールに前記インクリボンを巻きつけ該インクリボンを逆搬送方向へ送るため、インクリボン巻出しスプールを回転駆動するよう前記プリンタ本体に回転自在に取り付けられ、前記インクリボン巻取りギアから間隔を空けて配置されたインクリボン巻出しギアと、前記プリンタ本体に回転自在に取り付けられ、前記インクリボン巻出しギア及び前記インクリボン巻取りギアから間隔を空けて配置され回転駆動される駆動ギアと、を備える枢軸駆動ギアアセンブリと、
前記スタブの外周と摩擦係合し、前記枢動ギアの回転により前記駆動ギアアセンブリを枢動させるバネと、を備えるプリンタ。
【請求項１１】
前記枢軸駆動ギアアセンブリが、少なくとも１つの回転駆動されるギアと噛合い、枢動ギア及び少なくとも１つの移動ギアを備えており、前記枢動ギアが、前記プリンタ本体に回転自在に取り付けられ、前記駆動ギア及び前記少なくとも１つの移動ギアと噛合っており、
前記第１の回転方向に前記駆動ギアが回転すると、前記少なくとも１つの移動ギアが前記インクリボン巻取りギアと噛合うため、前記駆動ギアアセンブリが、前記第１の搬送位置から第２の搬送位置に枢動し、
前記第２の回転方向に前記駆動ギアが回転すると、前記少なくとも１つの移動ギアが前記インクリボン巻取りギアから離れ、該少なくとも１つの移動ギアの少なくとも１つが前記インクリボン巻出しギアと噛合うため、前記駆動ギアアセンブリが、前記第２の搬送位置から第１の搬送位置に枢動する請求項１０に記載のプリンタ。
【請求項１２】
前記プリンタ本体に回転自在に取り付けられた媒体駆動ギアを備え、前記逆搬送位置において、前記少なくとも１つの移動ギアの少なくとも１つが前記媒体駆動ギアと噛合い、ラベル媒体を逆搬送方向に駆動するため前記媒体駆動ギアを回転駆動する請求項１１に記載のプリンタ。
【請求項１３】
前記少なくとも１つの移動ギアが、前記枢動ギアと噛合わせできるようにギアプレートに回転自在に取り付けられ、前記ギアプレートが回転することで、前記駆動ギアアセンブリを前記枢動ギアの軸を中心に前記搬送位置と逆搬送位置の間で枢動する請求項１１に記載のプリンタ。
【請求項１４】
前記バネが前記ギアプレートに取り付けられる請求項１３に記載のプリンタ。
【請求項１５】
インクリボンを収容するカートリッジを嵌め込むカートリッジ受け部が前記プリンタ本体に取り付けられ、前記インクリボン巻出しギア及び前記インクリボン巻取りギアが該カートリッジ受け部に回転自在に取り付けられる請求項１１に記載のプリンタ。
【請求項１６】
前記駆動機構が、前記インクリボンを搬送方向及び逆搬送方向に駆動するため、前記枢動ギアと噛合っている前記駆動ギアを回転駆動する単一の駆動モーターを備える請求項１１に記載のプリンタ。
【請求項１７】
搬送方向及び逆搬送方向に駆動するとき、機構が、前記インクリボンを張った状態に維持する請求項１１に記載のプリンタ。
【請求項１８】
前記インクリボン巻出しスプール及びインクリボン巻取りスプールがカートリッジ内に設けられ、前記機構が、前記インクリボン巻出しスプール及び前記インクリボン巻取りスプールの少なくとも一方に引張力を生じて前記インクリボンを張った状態に保つ前記カートリッジである請求項１７に記載のプリンタ。
【請求項１９】
前記複数の回転自在に取り付けられたギアの少なくとも１つのギアがプラテンローラを回転駆動する請求項１０に記載のプリンタ。